(57)【要約】      （修正有）【課題】電子機器内の回路基板間を接続して信号伝送を行うフレキシブルプリント基板において、簡単な構成でフレキシブルプリント基板から放射される放射電磁波を効率よく抑制することが出来るフレキシブルプリント基板接続装置を提供すること。【解決手段】フレキシブルプリント基板１０と、フレキシブルプリント基板１０に着設され、他の電気部品２０と電気的接続を行う為のコネクタ１０１と、フレキシブルプリント基板１０の、コネクタ１０１が着設された面と反対側の面であって、コネクタ１０１と対向して設けられた第１の支持部材１０２とを有し、第１の支持部材１０２は、電磁波シールド材料を含有させる様にした。【選択図】図１
2006303081.tif 000002
【特許請求の範囲】
【請求項１】
フレキシブルプリント基板と、
前記フレキシブルプリント基板に着設され、他の電気部品と電気的接続を行う為のコネクタと、
前記フレキシブルプリント基板の、前記コネクタが着設された面と反対側の面に、前記コネクタと対向して設けられた第１の支持部材とを有し、
前記第１の支持部材は、電磁波シールド材料を含有していることを特徴とするフレキシブルプリント基板接続装置。
【請求項２】
前記第１の支持部材は、フェライトコアであることを特徴とする請求項１に記載のフレキシブルプリント基板接続装置。
【請求項３】
前記フレキシブルプリント基板の前記コネクタが着設された面であって、前記第１の支持部材と対向する位置に配設された第２の支持部材を有することを特徴とする請求項１または２に記載のフレキシブルプリント基板接続装置。
【請求項４】
前記第２の支持部材は、前記コネクタの少なくとも一部を回避する開口部を有することを特徴とする請求項３に記載のフレキシブルプリント基板接続装置。
【発明の詳細な説明】
【技術分野】
【０００１】
本発明はフレキシブルプリント基板接続装置に関する。詳しくは、フレキシブルプリント基板から発生した電磁波ノイズの漏洩を阻止するフレキシブルプリント基板接続装置に関する。
【背景技術】
【０００２】
近年、電子機器の高速化、高性能化などにより、電子機器からの放射電磁波による他の電子機器への影響が問題になっている。この放射電磁波による他の電子機器への影響はＥＭＩ（Ｅｌｅｃｔｒｏ  Ｍａｇｎｅｔｉｃ  Ｉｎｔｅｒｆｅｒｅｎｃｅ）と呼ばれ、主に無線機器、通信機器の受信障害を引き起こしたり、電子機器の誤動作を引き起こす場合がある。そのため、各国では３０ＭＨｚ〜１ＧＨｚ、或いは３０ＭＨｚ〜２ＧＨｚの周波数帯域を、放射電磁波に関して問題となる周波数帯域と定め、電子機器からの電磁波放射量の規制を行っている。また、電子機器製造メーカはこの規制に適合するように製品を設計製造する必要がある。
【０００３】
電子機器内からの放射電磁波の放射源としては、回路基板や、回路基板に接続されたフレキシブルプリント配線基板等があげられる。特に、回路基板間を接続し信号を伝送するフレキシブルプリント配線基板は、近年伝送信号の高速化により、放射電磁波の放射源としての問題が大きくなっている。そして電子機器の分野では、フレキシブルプリント配線基板から放射される放射電磁波を効率よく抑制する技術がこれまでも種々検討されてきた。
【０００４】
例えば、代表的な従来技術として、図５に示す様に、内部に孔が形成された矩形状の一体型成型フェライトコア５２に、フレキシブルプリント基板５１を嵌挿することによりフレキシブルプリント基板５１から放射する放射電磁波を吸収する周知の技術や、フェライト板を互いに係合させてフレキシブルプリント基板の上下面を挟持させる構成が開示されている（例えば、特許文献１参照）。
【特許文献１】特開平１１−３５４９７１号公報
【発明の開示】
【発明が解決しようとする課題】
【０００５】
ところで、近年、電子機器の高性能、多機能化に伴い小型化が急速に進んでいる。この為、電子機器に実装される回路基板においては、その大きさ、形状等が大きく制約を受け、複数の回路基板に分割されて、電子機器内の狭い空間を縫うようにフレキシブルプリント基板等で基板間を配線する様になっている。
【０００６】
しかしながら、上述の放射電磁波を抑制する為の周知の技術や、特許文献１に記載の技術においては、フェライトコア等を収納する為の大きな空間を必要とし、電子機器の小型化の障害となる欠点がある。またフェライトコア等を電子機器内に固定する為の機構が必要となり、電子機器の複雑化を招く恐れがある。
【０００７】
本発明は、上記課題を鑑みてなされたもので、電子機器内の回路基板間を接続して信号伝送を行うフレキシブルプリント基板において、フレキシブルプリント基板から放射される放射電磁波を効率よく抑制し、かつ電子機器の複雑化を招くことなく、電子機器全体の小型化、及び、低価格化に寄与することが可能なフレキシブルプリント基板接続装置を提供することを目的とする。
【課題を解決するための手段】
【０００８】
上記目的は、下記の請求項１乃至４のいずれか１項に記載の発明によって達成される。
【０００９】
（請求項１）
フレキシブルプリント基板と、
前記フレキシブルプリント基板に着設され、他の電気部品と電気的接続を行う為のコネクタと、
前記フレキシブルプリント基板の、前記コネクタが着設された面と反対側の面に、前記コネクタと対向して設けられた第１の支持部材とを有し、
前記第１の支持部材は、電磁波シールド材料を含有していることを特徴とするフレキシブルプリント基板接続装置。
【００１０】
（請求項２）
前記第１の支持部材は、フェライトコアであることを特徴とする請求項１に記載のフレキシブルプリント基板接続装置。
【００１１】
（請求項３）
前記フレキシブルプリント基板の前記コネクタが着設された面であって、前記第１の支持部材と対向する位置に配設された第２の支持部材を有することを特徴とする請求項１または２に記載のフレキシブルプリント基板接続装置。
【００１２】
（請求項４）
前記第２の支持部材は、前記コネクタの少なくとも一部を回避する開口部を有することを特徴とする請求項３に記載のフレキシブルプリント基板接続装置。
【発明の効果】
【００１３】
請求項１に記載の本発明によれば、第１の支持部材は、フレキシブルプリント基板を他のプリント基板等にコネクタを介して接続する時に、コネクタ近傍の導体パターンに負荷がかかり導体パターンにクラックが発生したり、また断線することを防止する為に、コネクタ近傍の導体パターンを補強し、剛性を高める為の部材であり、従来、裏打ち板と称されているものである。本発明においては、該支持部材（裏打ち板）を電磁波シールド材料で形成する様にしている。すなわち、支持部材に従来の導体パターン補強機能と、フレキシブルプリント基板から放射される放射電磁波を抑制する機能とを持たせている。
【００１４】
従って、フレキシブルプリント基板からの放射電磁波を抑制する為に、従来の様にフェライトコア等の放射電磁波抑制部品を新たに設ける必要がないので、電子機器の小型化に大きく寄与することができる様になる。
【００１５】
またフレキシブルプリント基板に設けられた第１の支持部材は、フレキシブルプリント基板を、他のプリント基板等にコネクタを介して接続することにより、電子機器内に固定されることになるので、従来の様にフェライトコア等を固定する為の機構を必要としないので、電子機器の複雑化を回避することができる様になる。
【００１６】
更に、フレキシブルプリント基板から放出される放射電磁波量は、導体パターンのインピーダンスが高くなるコネクタの接続端子部近傍で大きくなるが、本発明においては、放射電磁波抑制効果を有する第１の支持部材をフレキシブルプリント基板を挟んで、コネクタの背面に設けているので、効果的に放射電磁波を抑制することができる様になる。
【００１７】
請求項２に記載の本発明によれば、支持部材は、フェライトコアで形成する様にしているので、より多くの放射電磁波を抑制することができる様になる。
【００１８】
請求項３又は請求項４に記載の本発明によれば、フレキシブルプリント基板を挟んで、第１の支持部材と第２の支持部材により、放射電磁波量が最も多いコネクタ近傍を、覆う様な構成にしているので、効果的により多くの放射電磁波を抑制することができる様になる。
【発明を実施するための最良の形態】
【００１９】
以下図面に基づいて、本発明の実施形態に係わるフレキシブルプリント基板接続装置について説明する。
【００２０】
図１は、本発明に係るフレキシブルプリント基板接続装置１の組立て分解斜視図である。
【００２１】
図１に示す様に、フレキシブルプリント基板接続装置１は、フレキシブルプリント基板１０、とフレキシブルプリント基板１０の一端に着設されて、例えば硬質プリント基板２０と電気的接続を行う為のコネクタ（プラグ）１０１と、コネクタ（プラグ）１０１が着設されている近傍の図示しない導体パターンを補強し、剛性を高める為の支持板１０２、及び支持枠１０３から構成される。
【００２２】
この様な構成のフレキシブルプリント基板接続装置１において、フレキシブルプリント基板１０を硬質プリント基板２０に接続するには、作業者が、コネクタ（プラグ）１０１近傍のフレキシブルプリント基板１０を手先等で摘んで、硬質プリント基板２０に着設されているコネクタ（レセプタクル）２０１に差し込む（矢印Ａ方向）ことにより電気的に接続されることになる。本発明における第１の支持部材に該当する支持板１０２は、この差込作業の際、フレキシブルプリント基板１０に着設されたコネクタ（プラグ）１０１近傍の導体パターンに負荷がかかり導体パターンにクラックが発生したり、また断線することを防止する為に、コネクタ近傍の導体パターンを補強し、剛性を高める為の部材であり、従来、裏打ち板と称されているものである。本発明においては、該支持板１０２（裏打ち板）を電磁波シールド材料からなるフェライトコアで形成する様にしている。すなわち、支持板１０２に従来の導体パターン補強機能と、フレキシブルプリント基板１０から放射される放射電磁波を抑制する機能とを持たせている。また本発明における第２の支持部材に該当する支持枠１０３は、支持板１０２と同様にフェライトコアで形成され、フレキシブルプリント基板１０において、コネクタ（プラグ）１０１が着設された面に、支持板１０２と対向して配設され、コネクタ（プラグ）１０１において、硬質プリント基板２０に着設されているコネクタ（レセプタクル）２０１との接続部を回避する為の開口部ａ１２０が設けられ、コネクタ（プラグ）１０１近傍の導体パターンをフレキシブルプリント基板１０の上下両面から覆う様な構成にしている。
【００２３】
支持板１０２及び支持枠１０３に使用することができる電磁波シールド材料としては例えば、パーマロイ等の高透磁率材料と銅等の良導伝体とを組み合わせた材料、プラスチック材料に鉄や銅等のフィラーを混入した材料、導電性物質を混ぜた塗料等の公知のものを使用することができるが、支持板１０２及び支持枠１０３の機械的強度を損なわない程度で適宜選択することができる。
【００２４】
ここで、フレキシブルプリント基板接続装置１の外観について図２を用いて説明する。
図２（ａ）は、フレキシブルプリント基板接続装置１の正面図、図２（ｂ）は、フレキシブルプリント基板接続装置１の背面図、図２（ｃ）は、フレキシブルプリント基板接続装置１の側面の断面図である。
【００２５】
図２（ｃ）に示す様に、フレキシブルプリント基板１０の上面には支持板１０２が接着されている。また、下面からは支持枠１０３が、その外縁に設けられた接合部１１０において支持板１０２と接着されている。この様にしてフレキシブルプリント基板１０に着設されたコネクタ（プラグ）１０１近傍の導体パターン、及びコネクタ（プラグ）１０をフレキシブルプリント基板１０の導体パターンに半田付けする為にコネクタ（プラグ）１０に設けられた接続端子１０１ａは、フレキシブルプリント基板１０を挟んで上下両面から、支持板１０２、及び支持枠１０３にて覆われる様な構成にしている。またフレキシブルプリント基板１０の他方の端は、開口部ｂ１３０を通して外部に引き出されている。
【００２６】
以上の様に、従来の裏打ち板に該当する支持板１０２をフェライトコア等の放射電磁波抑制材料で形成し、更にフレキシブルプリント基板１０を挟んで、支持板１０２と支持枠１０３により、放射電磁波量が最も多いコネクタ近傍を、覆う様な構成にしているので、効果的により多くの放射電磁波を抑制することができ、更に電子機器の複雑化を招くことなく、電子機器全体の小型化、及び、低価格化に寄与することが可能なフレキシブルプリント基板接続装置を提供することができる様になった。
【００２７】
次に、本発明に係るフレキシブルプリント基板接続装置が適用された電子機器の一実施形態としてデジタルカメラを例に説明する。図３は、本発明に係るフレキシブルプリント基板接続装置１が適用されたデジタルカメラ５の概略構成を示す断面図である。
【００２８】
図３に示す様に、デジタルカメラ５は、交換レンズ５１と、カメラ本体５２より構成され、手ぶれ補正機能を有している。この様な構成のデジタルカメラ５において、フレキシブルプリント基板接続装置１は、手ぶれ補正機構、アクチュエーター、及びＣＣＤエリアセンサ５２１等からなる手ぶれ補正ユニット５２２と、手ぶれ補正ユニット５２２の動作を制御する制御回路部品等が搭載されている回路基板５２３とを電気的に接続するものである。
【００２９】
以上、本発明を実施の形態を参照して説明してきたが、本発明は上記実施の形態に限定して解釈されるべきではなく、適宜変更、改良が可能であることは勿論である。例えば、
図４に示す様に、支持板１０２の後端に内部に孔が形成された矩形状の一体型成型フェライトコアを設け、フレキシブルプリント基板１０を嵌挿する様な構成や、また、フェライトコアからなる支持板１０２、支持枠１０３の代わりに、電磁波シールド効果を有する、粘着性のシールド部材にてコネクタ（プラグ）１０１周辺を、フレキシブルプリント基板１０の上下面から、包み込む様な構成にしてもよい。
【図面の簡単な説明】
【００３０】
【図１】本発明に係るフレキシブルプリント基板接続装置の組立て分解斜視図である。
【図２】本発明に係るフレキシブルプリント基板接続装置の正面図、背面図、及び側面断面図である。
【図３】本発明に係るフレキシブルプリント基板接続装置が適用されたデジタルカメラの概略構成を示す断面図である。
【図４】本発明に係るフレキシブルプリント基板接続装置の他の実施形態例を示す斜視図である。
【図５】従来技術に係るフレキシブルプリント基板、及びフェライトコアの模式図である。
【符号の説明】
【００３１】
１  フレキシブルプリント基板接続装置
１０  フレキシブルプリント基板
１０１  コネクタ（プラグ）
１０１ａ  接続端子
１０２  支持板
１０３  支持枠
１１０  接合部
１２０、１３０  開口部
２０  硬質プリント基板
２０１  コネクタ（レセプタクル）
５  デジタルカメラ
５１  交換レンズ
５２  カメラ本体
５２１  ＣＣＤエリアセンサ
５２２  手ぶれ補正ユニット
５２３  回路基板
【図１】
2006303081.tif 000003
【図２】
2006303081.tif 000004
【図３】
2006303081.tif 000005
【図４】
2006303081.tif 000006
【図５】
2006303081.tif 000007